【手続補正書】
【提出日】令和2年11月30日(2020.11.30)
【手続補正１】
【補正対象書類名】特許請求の範囲
【補正対象項目名】全文
【補正方法】変更
【補正の内容】
【特許請求の範囲】
【請求項１】
型取りした患者の歯及び歯列形状に基づいて形成された歯科模型であって、
当該歯科模型に着色するとともに、
着色された色の明度が、明度値１０から明度値７０の明度帯域内に収まっていることを特徴とする歯科模型。
【請求項２】
前記歯科模型が、石膏からなることを特徴とする請求項１に記載の歯科模型。
【請求項３】
前記石膏が、石膏基本材に所定の色を呈する着色剤を所定量配合してなり、
前記歯科模型を形成したとき、当該歯科模型の色が、前記明度帯域内であることを特徴とする請求項１若しくは請求項２に記載の歯科模型。
【請求項４】
前記歯科模型を構成する前記石膏の表面を、前記明度帯域内の前記色からなる塗料で塗装したことを特徴とする請求項１若しくは請求項２に記載の歯科模型。
【請求項５】
前記色が、灰色系であることを特徴とする請求項１に記載の歯科模型。
【請求項６】
患者の歯及び歯列形状を型取りして歯科模型を形成する印象採得工程と、
前記歯科模型に、光の陰影を用いて複数の平行線又は交差線からなる所定の縞模様を複数組み合わせた陰影パターンを有する格子パターン光を、所定の周期で繰り返して照射して、三次元スキャニング処理を行い、前記歯科模型に係る歯列データを形成するデジタル変換工程と、
前記歯列データに基づいて、電子的な仮想空間内で前記歯及び前記歯列形状に係る仮想模型を再現する仮想化工程とを有する歯科模型仮想化方法において、
前記歯科模型の色の明度が、明度値１０から明度値７０の明度帯域内に収まるように着色し、
当該歯科模型を前記三次元スキャニング処理したとき、
前記格子パターン光の前記縞模様に係る明るい部分が、前記歯科模型の表面で乱反射することを抑制し、また前記縞模様に係る暗い部分が前記歯或いは前記歯列形状による凹部に形成される影に同化することを抑制して、
前記歯科模型に対して略同一形状の前記仮想模型を再現するようにしたことを特徴とする歯科模型仮想化方法。
【請求項７】
前記歯科模型の色が、灰色系であることを特徴とする請求項６に記載の歯科模型仮想化方法。
【手続補正２】
【補正対象書類名】明細書
【補正対象項目名】００１０
【補正方法】変更
【補正の内容】
【００１０】
請求項１に記載の歯科模型は、型取りした患者の歯及び歯列形状に基づいて形成された歯科模型であって、
当該歯科模型に着色するとともに、
着色された色の明度が、明度値１０から明度値７０の明度帯域内に収まっていることを特徴とする。
【手続補正３】
【補正対象書類名】明細書
【補正対象項目名】００１１
【補正方法】変更
【補正の内容】
【００１１】
請求項２に記載の歯科模型は、請求項１に記載の発明において、前記歯科模型が、石膏からなることを特徴とする。
【手続補正４】
【補正対象書類名】明細書
【補正対象項目名】００１２
【補正方法】変更
【補正の内容】
【００１２】
請求項３に記載の歯科模型は、請求項１若しくは請求項２に記載の発明において、前記石膏が、石膏基本材に所定の色を呈する着色剤を所定量配合してなり、
前記歯科模型を形成したとき、当該歯科模型の色が、前記明度帯域内であることを特徴とする。
【手続補正５】
【補正対象書類名】明細書
【補正対象項目名】００１３
【補正方法】変更
【補正の内容】
【００１３】
請求項４に記載の歯科模型は、請求項１若しくは請求項２に記載の発明において、前記歯科模型を構成する前記石膏の表面を、前記明度帯域内の前記色からなる塗料で塗装したことを特徴とする。
【手続補正６】
【補正対象書類名】明細書
【補正対象項目名】００１４
【補正方法】変更
【補正の内容】
【００１４】
請求項５に記載の歯科模型は、請求項１に記載の発明において、前記色が、灰色系であることを特徴とする。
【手続補正７】
【補正対象書類名】明細書
【補正対象項目名】００１５
【補正方法】変更
【補正の内容】
【００１５】
請求項６に記載の歯科模型仮想化方法は、患者の歯及び歯列形状を型取りして歯科模型を形成する印象採得工程と、
前記歯科模型に、光の陰影を用いて複数の平行線又は交差線からなる所定の縞模様を複数組み合わせた陰影パターンを有する格子パターン光を、所定の周期で繰り返して照射して、三次元スキャニング処理を行い、前記歯科模型に係る歯列データを形成するデジタル変換工程と、
前記歯列データに基づいて、電子的な仮想空間内で前記歯及び前記歯列形状に係る仮想模型を再現する仮想化工程とを有する歯科模型仮想化方法において、
前記歯科模型の色の明度が、明度値１０から明度値７０の明度帯域内に収まるように着色し、
当該歯科模型を前記三次元スキャニング処理したとき、
前記格子パターン光の前記縞模様に係る明るい部分が、前記歯科模型の表面で乱反射することを抑制し、また前記縞模様に係る暗い部分が前記歯或いは前記歯列形状による凹部に形成される影に同化することを抑制して、
前記歯科模型に対して略同一形状の前記仮想模型を再現するようにしたことを特徴とする。
【手続補正８】
【補正対象書類名】明細書
【補正対象項目名】００１６
【補正方法】変更
【補正の内容】
【００１６】
請求項７に記載の歯科模型仮想化方法は、請求項６に記載の発明において、前記歯科模型の色が、灰色系であることを特徴とする。
【手続補正９】
【補正対象書類名】明細書
【補正対象項目名】００１７
【補正方法】変更
【補正の内容】
【００１７】
本発明に係る歯科模型によれば、当該歯科模型を着色するとともに、着色する色の明度を、明度値１０から明度値７０の明度帯域内に収まるようにした。
ここで、明度値が１０以下の場合、歯科模型の色は、完全な黒色又は極めて暗い色となる。この場合、歯科模型上に落ちる格子パターン光の陽部分と、歯科模型自体の色が同化して、判別し難くなる。一方、明度値が７０以上の場合、歯科模型の色は薄い色、極めて薄い色若しくは白色となる。この場合、歯科模型表面でハレーションが発生し、スキャン画像が白飛びしたり、又は上記の歯冠鼓形空隙のような凹部で乱反射が発生して、仮想化したときの再現率が落ちる。
このように、歯科模型を所定の明度帯域内に収まるような色に着色することによって、当該歯科模型の隅々まで大きな影を発生させることなく格子パターン光を細部まで届かせることができ、かつ、歯科模型のハレーションを抑えることができる。そのため、パターン光投影式３Ｄスキャナは、歯冠鼓形空隙部等の凹部を有する歯冠部を細部までスキャニングすることができる。
【手続補正１０】
【補正対象書類名】明細書
【補正対象項目名】００１８
【補正方法】変更
【補正の内容】
【００１８】
本発明に係る歯科模型仮想化方法によれば、患者の歯及び歯列形状を型取りして形成する歯科模型の色の明度を、明度値１０から明度値７０の明度帯域内に収まるようにして、当該歯科模型に対して格子パターン光を照射したとき、当該格子パターン光の縞模様に係る明るい部分が、歯科模型の表面で乱反射することを抑制するようにした。
これによって、歯科模型の隅々まで格子パターン光を届かせることができ、また歯科模型のハレーションを抑えることができるので、歯冠固形空隙等の凹部を細部までスキャンして精密な歯列データを得ることができる。そのため、当該歯科模型をパターン光投影式３Ｄスキャナでスキャンし、適宜補正を加えて仮想化したとき、歯科模型に対して、形成される仮想模型の再現率を向上させることができる。